(57)【要約】【課題】試用見本としての口紅商品等の化粧品の太さサイズが変更になっても、初期購入した陳列用パーツをそのまま継続使用でき、コスト面での負担を無くす。【解決手段】サイコロ状のボックス体の６面それぞれに、試用見本Ｐの太さサイズに対応すべく互いに異なる孔径による挿入孔３Ａを備えて成る複数の陳列用パーツ３と、該陳列用パーツ３の６面のうちの選択した１面を上側に向けて互いに縦横に敷き詰める状態にして収納可能としたトレー体２とを備える。試用見本Ｐは、陳列用パーツ３の挿入孔３Ａの孔径よりも大きな幅員を有し且つ商品名および価格を表示可能とする係止用ブロックＲを介して当該試用見本Ｐと同じ色の色見本Ｑを備える。またトレー体２は、ボックス体の６面それぞれに挿入孔３Ａを有しないスペーサー用パーツ４、あるいはボックス体の１面が開放して成るティッシュ入れ用パーツ５Ａを収納可能とする。【選択図】図１
0003120198.tif 000002
【実用新案登録請求の範囲】
【請求項１】
サイコロ状のボックス体の６面それぞれに、試用見本の太さサイズに対応すべく互いに異なる孔径による挿入孔を備えて成る複数の陳列用パーツと、該陳列用パーツの６面のうちの選択された１面を上側に向けて互いに縦横に敷き詰める状態にして収納可能としたトレー体とを備えて成ることを特徴とする商品陳列装置。
【請求項２】
試用見本は、陳列用パーツの挿入孔の孔径よりも大きな幅員を有し且つ商品名および価格を表示可能とする係止用ブロックを介して当該試用見本と同じ色の色見本を備えて成る請求項１記載の商品陳列装置。
【請求項３】
トレー体は、ボックス体の６面それぞれに前記挿入孔を形成しないスペーサー用パーツを収納可能とする請求項１または２記載の商品陳列装置。
【請求項４】
トレー体は、ボックス体の１面が開放されて成るティッシュ入れ用パーツを収納可能とする請求項１乃至３のいずれかに記載の商品陳列装置。
【請求項５】
トレー体は、ペンシル型の試用見本を収納可能とした引出しケースの上面に配してある請求項１乃至４のいずれかに記載の商品陳列装置。
【請求項６】
陳列された試用見本の存在を強調する商品説明カードを支持するカード挟持板部を設けたＰＯＰモジュールを備えている請求項１乃至５のいずれかに記載の商品陳列装置。
【請求項７】
サイコロ状のボックス体の６面それぞれに、試用見本の太さサイズに対応すべく互いに異なる孔径による挿入孔を備えて成る複数の陳列用パーツと、該陳列用パーツの６面のうちの選択された１面を上側に向けて互いに縦横に敷き詰める状態にして収納可能としたトレー体とを備え、試用見本は、陳列用パーツの挿入孔の孔径よりも大きな幅員を有し且つ商品名および価格を表示可能とする係止用ブロックを介して当該試用見本と同じ色の色見本を備えたことを特徴とする商品陳列装置。
【考案の詳細な説明】
【技術分野】
【０００１】
本考案は、例えば口紅、スティックファンデーション、マスカラ、リキッドアイライナー等のペンシル型やスティック型の化粧品類を店頭にて販売するとき、これらの化粧品を顧客が自由にテストできるようにそれら商品に相当する試用見本を種別毎に纏めて収納するための集中テスターカウンター・コーナー用の陳列什器として使用される口紅商品等の商品陳列装置に関する。
【背景技術】
【０００２】
従来、例えばペンシル型やスティック型等の口紅、スキンケア用のスティックファンデーション、ネイルケア用のペンシル型マニキュアその他の化粧品等の小物類を店頭にて陳列販売するとき、陳列什器に試用見本を種別毎に置き、顧客はこれら試用見本を自由に取ってテストできるようにしている。このためにブランド商品のイメージ訴求と、商品説明を伝達することを目的とした所謂プロモーションスペースを設け、顧客は陳列什器から取り出した試用見本を試用してからそれが気に入れば、商品陳列棚から梱包された販売用の商品を取り出して購入する。
【０００３】
これらのペンシル型やスティック型等の化粧品は太さサイズにおいて各種異なるから、試用見本を陳列する場合には、例えば矩形平面状の上面部に化粧品に対応した試用見本の太さサイズに対応した複数の挿入孔を備え、該上面部の両端縁側に板状の脚部を垂下形成させて成る略テーブル型の陳列用パーツを形成し、該陳列用パーツの上面部における各挿入孔それぞれに各種の化粧品等の試用見本を差し込んで起立させた状態に陳列しておくものとしていた。
【特許文献１】特になし
【考案の開示】
【考案が解決しようとする課題】
【０００４】
しかしながら、従来においては、試用見本の太さサイズが変更になった際には、既存の陳列用パーツの上面部における挿入孔と合わなくなり、販売店あるいは販売委託元等の流通業者には、太さサイズの違う挿入孔を備えた陳列用パーツを再度購入してもらわなければならずコスト面で負担が生じるのであった。すなわち、流通業者は、試用見本の太さサイズ毎に陳列用パーツ上面部の挿入孔の孔径が異なるものとして、例えば孔径が１４ｍｍφ〜２２ｍｍφまでの複数種類のもの全てを予め用意し、試用見本の太さサイズ毎にこれらの陳列用パーツを使い分ける必要があった。
【０００５】
そこで、本考案は叙上のような従来存した諸事情に鑑み案出されたもので、試用見本としての化粧品の太さサイズが変更になった際でも、初期購入された陳列用パーツをそのまま継続して使用でき、これによってコスト面での負担を無くすことのできる集中テスターカウンター・コーナー用の陳列什器として使用される商品陳列装置を提供することを目的とする。
【課題を解決するための手段】
【０００６】
上述した課題を解決するため、本考案にあっては、サイコロ（立方体）状のボックス体の６面それぞれに、試用見本Ｐ、例えば口紅商品の見本の太さサイズに対応すべく互いに異なる孔径による挿入孔３Ａを備えて成る複数の陳列用パーツ３と、該陳列用パーツ３の６面のうちの選択された１面を上側に向けて互いに縦横に敷き詰める状態にして収納可能としたトレー体２とを備えて成る。
試用見本Ｐは、陳列用パーツ３の挿入孔３Ａの孔径よりも大きな幅員を有し且つ商品名および価格を表示可能とする係止用ブロックＲを介して当該試用見本Ｐと同じ色の色見本Ｑを備えて成るものとできる。
トレー体２は、ボックス体の６面それぞれに挿入孔３Ａを有しないスペーサー用パーツ４を収納可能とするものとできる。
トレー体２は、ボックス体の１面が開放されて成るティッシュ入れ用パーツ５Ａを収納可能とするものとできる。
トレー体２は、ペンシル型の試用見本Ｐを収納可能とした引出しケースＳの上面に配してあるものとできる。
陳列された試用見本Ｐの存在を強調するＰＯＰカード等の如き商品説明カードを支持するカード挟持板部を設けたＰＯＰモジュール６を備えているものとできる。
【０００７】
以上のように構成された本考案に係る商品陳列装置にあって、サイコロ状のボックス体による陳列用パーツ３は、６面のうちの選択された１面を上側に向けて互いに縦横に敷き詰める状態にトレー体２に収納されることによって、試用見本Ｐの太さサイズに対応する挿入孔３Ａをトレー体２上で隣接配置させる。
係止用ブロックＲは、試用見本Ｐを陳列用パーツ３の挿入孔３Ａに挿入した際に、当該試用見本Ｐを落ち込み防止状態で係止させると同時に当該試用見本Ｐと同じ色の色見本Ｑを陳列用パーツ３上で起立配置させる。
スペーサー用パーツ４は、トレー体２上に形成されたボックス型の余白スペースに敷設配置されることで、該余白スペースを残すことなく試用見本Ｐ自体を整然と固定配列させる。それと共に、当該スペーサー用パーツ４によってトレー体２内での陳列用パーツ３の不用意なズレ移動を防止させる。
ティッシュ入れ用パーツ５Ａは、トレー体２上に形成されたボックス型の余白スペースに敷設配置され、そこにティッシュを収容させる。
引出しケースＳの上面側に配したトレー体２は、見栄えの良い汎用性に富んだ集中テスターカウンター・コーナーを形成させる。
ＰＯＰモジュール６は、陳列用パーツ３上に種別毎に纏めて収納陳列された試用見本Ｐの存在を強調させる。
【考案の効果】
【０００８】
本考案によれば、試用見本Ｐとしての化粧品それぞれに対応した試用見本Ｐの太さサイズが変更になっても、初期購入された陳列用パーツ３の陳列向きを変更すればそのまま継続して使用でき、これによってコスト面での負担を無くすことができる。
【０００９】
すなわちこれは本考案が、サイコロ状のボックス体による陳列用パーツ３の６面のうちの選択された１面を上側に向けて互いに縦横に敷き詰める状態にしてトレー体２内に収納させるからである。これにより、太さサイズの違う挿入孔３Ａを備えた陳列用パーツ３を再度購入しなくても、初期購入された陳列用パーツ３の向きを変えることで、試用見本Ｐの太さサイズに対応する挿入孔３Ａをトレー体２上で隣接配置できる。したがって、試用見本Ｐとしての化粧品の太さサイズが変更になった際においても、初期購入された陳列用パーツ３をそのまま継続して使用できる。
【００１０】
また、これらの試用見本Ｐを顧客が自由にテストできるようにそれら商品に相当する試用見本Ｐを種別毎に纏めて収納するための集中テスターカウンター・コーナーとして使用される汎用性に富むものとした商品陳列装置を低コストで、しかも見栄えの良いものとして形成できる。さらに、陳列用パーツ３の向きや位置を変えることで、試用見本Ｐの種類、数量、サイズ等に対応して容易に陳列位置を調整変更できる。
【００１１】
試用見本Ｐは、陳列用パーツ３の挿入孔３Ａの孔径よりも大きな幅員を有し且つ商品名および価格を表示可能とする係止用ブロックＲを介して当該試用見本Ｐと同じ色の色見本Ｑを備えて成る。そのため陳列用パーツ３の挿入孔３Ａに差し込まれた試用見本Ｐの係止用ブロックＲによりペンシル型やスティック型等の小さな化粧品に対応する色見本Ｑを傾倒させずに真っ直ぐに配置できる。
【００１２】
トレー体２は、ボックス体の６面それぞれに前記挿入孔３Ａを有しないスペーサー用パーツ４を収納可能とするので、試用見本Ｐの収納位置に変更が生じても、無駄な余剰スペースや不足スペースが生じない。しかもトレー体２からスペーサー用パーツ４を取り外してから当該トレー体２上にて陳列用パーツ３をスライド移動させることで試用見本Ｐの配置の変更が容易である。
【００１３】
トレー体２は、ボックス体の１面が開放されて成るティッシュ入れ用パーツ５Ａを収納可能とするので、トレー体２上の任意の個所にティッシュを収容させるためのスペースを容易に確保できる。
【００１４】
トレー体２は、ペンシル型の試用見本Ｐを収納可能とした引出しケースＳの上面に配してあるので、見栄えの良い汎用性に富んだ集中テスターカウンター・コーナーを容易に形成できる。
【００１５】
陳列された試用見本Ｐの存在を強調する商品説明カードを支持するカード挟持板部を設けたＰＯＰモジュール６を備えているので、顧客に対しトレー体２上に種別毎に纏めて収納陳列された試用見本Ｐの存在を強調できる。
【００１６】
尚、上記の課題を解決するための手段、考案の効果の項夫々において付記した符号は、図面中に記載した構成各部を示す部分との参照を容易にするためのものである。本考案は、図面中の符号によって示された構造・形状に限定されない。
【考案を実施するための最良の形態】
【００１７】
以下、図面を参照して本考案を実施するための最良の一形態を説明する。図において示される符号１は、例えば透明アクリル樹脂等の合成樹脂製部材により形成された集中テスターカウンター・コーナー用の陳列什器として使用される本考案に係る商品陳列装置を構成する装置本体である。該装置本体１は、例えば口紅、スティックファンデーション、マスカラ、リキッドアイライナー等のペンシル型やスティック型の化粧品を店頭にて販売するとき、当該販売用の化粧品に対応した試用見本Ｐを陳列収納しておき、顧客自身が試用見本Ｐを試用してみて、それが気に入れば商品を購入するものとして使用される。
【００１８】
この装置本体１の一例は図１に示されるように、ペンシル型の細い試用見本Ｐを収納可能とした引出しケースＳの上面に配した単一皿型形状に形成されたトレー体２と、該トレー体２内に互いに縦横に敷き詰める状態にして収納配置される陳列用パーツ３、スペーサー用パーツ４、ティッシュ入れ用パーツ５Ａ，ごみ箱用パーツ５Ｂそれぞれによって構成される。
【００１９】
このトレー体２の横幅の長さは、陳列用パーツ３の例えば４個並べた長さと合致するように設定し、奥行きの長さも陳列用パーツ３の例えば４個並べた長さと合致するように設定してある。尚、このようなトレー体２の横幅や奥行きの長さの設定は、本考案を何等限定するものではないことは勿論である。
【００２０】
陳列用パーツ３は、図２に示すように、サイコロ（立方体）状のボックス体によって形成され、該ボックス体の６面それぞれには、例えばペンシル型やスティック型等の化粧品の試用見本Ｐを挿入掛架させるための例えば２行２列で合計４つ、あるいは３行３列で合計９つ等のように複数の挿入孔３Ａを並設してある。そして、この挿入孔３Ａは、試用見本Ｐの太さサイズに対応してそれぞれの面毎であるいはそれぞれの面内で互いに異なる孔径となるようにしてある。
【００２１】
陳列用パーツ３の具体的な構成例としては、図３および図４に示すように、例えば２行２列で合計４つの挿入孔３Ａをボックス体の６面それぞれに備えている場合には、太さサイズの異なる試用見本Ｐに対応して、例えば第１面での挿入孔３Ａの孔径を１４ｍｍφ（図４（ａ）参照）、第１面と反対側にある第２面での挿入孔３Ａの孔径を１６ｍｍφ（図４（ｂ）参照）、第１面および第２面に隣接する第３面での挿入孔３Ａの孔径を１８ｍｍφ（図４（ｆ）参照）、第３面と反対側にある第４面での挿入孔３Ａの孔径を１９．５ｍｍφ（図４（ｅ）参照）、第１面、第２面、第３面、第４面それぞれに隣接する第５面での挿入孔３Ａの孔径を２０ｍｍφ（図４（ｄ）参照）、第５面と反対側にある第６面での挿入孔３Ａの孔径を２２ｍｍφ（図４（ｃ）参照）となるように形成してある。
【００２２】
また、ボックス体の内部には、図２に示すように、３枚の補強用仕切板７が互いに直交するようにして配設されている。該補強用仕切板７それぞれには、ボックス体の６面それぞれの各４つの挿入孔３Ａに対応すべく、例えば孔径２２ｍｍφの合計４つの通し孔７Ａが形成されている。
【００２３】
試用見本Ｐとして例えば口紅商品の場合には、立方体形状もしくは円柱体形状等の係止用ブロックＲの一端面側に、捩り回転によって口紅体を突出させるための筒ケースＫを固定し、係止用ブロックＲの他端面側に、口紅の色と同じ口紅体の色見本Ｑを突設させてある。そして、この係止用ブロックＲは、陳列用パーツ３の挿入孔３Ａの孔径よりも大きな幅員を有し、その側面には商品名および価格を表示可能としてある。
【００２４】
尚、図示による説明を省略するが、試用見本Ｐとして、例えばスキンケア用のスティックファンデーション、ネイルケア用のペンシル型マニキュアその他の化粧品の場合においても、口紅商品の場合と同様に係止用ブロックＲを介してこれら化粧品の色見本Ｑを突設させてあるのは勿論である。
【００２５】
そして、これら試用見本Ｐを挿入孔３Ａに挿入した場合には、試用見本Ｐは補強用仕切板７の通し孔７Ａに一部挿通された状態で係止用ブロックＲを介して陳列用パーツ３面に掛架保持される。しかも係止用ブロックＲにより、ペンシル型やスティック型等の小さな化粧品に対応する色見本Ｑを傾倒させずに真っ直ぐに配置させるものとしてある。
【００２６】
こうして陳列用パーツ３は、試用見本Ｐとしての化粧品の太さサイズが変更になった際において、ボックス体の６面のうちの試用見本Ｐの太さサイズに対応する挿入孔３Ａを備えた１面を上側に向けて互いに縦横に敷き詰める状態にしてトレー体２に収納される。
【００２７】
また、スペーサー用パーツ４は、陳列用パーツ３と同じサイズのサイコロ状のボックス体によって形成されているが、ボックス体の６面それぞれには陳列用パーツ３のような挿入孔３Ａが形成されていないフラット面となっている。このスペーサー用パーツ４は、トレー体２上に形成されたボックス型の余白スペースに収納配置されることで、試用見本Ｐの収納位置に変更が生じても、無駄な余剰スペースや不足スペースが生じることがないようにしている。と同時に、陳列用パーツ３相互間に生じた余白スペースを埋めるように配置させることで、トレー体２上にて試用見本Ｐを載置させた陳列用パーツ３自体が移動せずに整然と固定配列させるものとしてある。
【００２８】
尚、このスペーサー用パーツ４をボックス体の複数個分である直線状、Ｌ字線状、段差線状等となるように配置形成することで、トレー体２上に配列された陳列用パーツ３を種別毎に分類して任意のパターンで配列させるための仕切板として利用しても良い。
【００２９】
ティッシュ入れ用パーツ５Ａは、陳列用パーツ３と同じサイズのサイコロ状のボックス体によって形成されているが、該ボックス体の１面だけが開放され、そこに形成された収納空間内にティッシュが纏めて入れられるようにしてある。このティッシュ入れ用パーツ５Ａは、トレー体２上の例えば後側横一列に収納配置されることで、試用見本Ｐを使用した際の化粧品を拭き取るためのティッシュが容易に取り出せるものとしてある。尚、図中符号５Ｂは、使用済後のティッシュを収納するごみ箱用パーツであり、ティッシュ入れ用パーツ５Ａにおける開口部近傍に斜め状の仕切板を付設したものである。
【００３０】
また、装置本体１は、陳列された試用見本Ｐの存在を強調するためのＰＯＰカード等の如き商品説明カードを支持する透明なカード挟持板部を設けた衝立状のＰＯＰモジュール６を備えている。すなわち、商品のブランド、品名、値段、広告等のＰＯＰカードをカード挟持板部のスリット部内に挿入して外側から表示面が見れるようにしてある。
【００３１】
以上のように構成されている本考案に係る装置本体１の使用の一例を説明する。先ず、図１に示すように、引出しケースＳを引き出して、その中にペンシル型の細い試用見本Ｐを収納しておく。そして、引出しケースＳの上面のトレー体２内に、複数の陳列用パーツ３を互いに縦横に敷き詰める状態にして収納配置する。このとき、陳列用パーツ３の６面のうちの予め選択された１面を上側に向けてトレー体２に収納する。
【００３２】
この陳列用パーツ３相互間に余白スペースが生じた場合には、そこにスペーサー用パーツ４を収納することで当該余白スペースを残すことなく試用見本Ｐ自体を整然と固定配列する。また当該スペーサー用パーツ４によってトレー体２上での陳列用パーツ３の不用意なズレ移動を防止する。
【００３３】
さらにトレー体２上の例えば後側横一列には、ティッシュ入れ用パーツ５Ａ、ごみ箱用パーツ５Ｂを収納し、該ティッシュ入れ用パーツ５にティッシュを収容しておく。
【００３４】
そして、各陳列用パーツ３の挿入孔３Ａに試用見本Ｐを挿入する。このとき、図２に示すように、係止用ブロックＲは挿入孔３Ａの孔縁部に掛架されることで、試用見本Ｐを陳列用パーツ３の挿入孔３Ａから下方側に落ち込むのを防止させると同時に当該試用見本Ｐと同じ色の色見本Ｑを陳列用パーツ３上で起立配置させる。
【００３５】
また、商品のブランド、品名、値段、広告等を表示したＰＯＰカードをカード挟持板部のスリット部内に挿入したＰＯＰモジュール６を各陳列用パーツ３の前側一端箇所に載せておく。
【００３６】
このようにトレー体２上で各陳列用パーツ３相互間をピッタリと合致させた状態にして配置させることで、装置本体１全体の見栄えを良好なものとしている。しかもこのような装置本体１をさらに連続的に並べることによって集中テスターカウンター・コーナーを形成する。
【００３７】
試用見本Ｐとしての化粧品の太さサイズが変更になった際には、ボックス体の６面（図３参照）のうちの化粧品の太さサイズに対応する挿入孔３Ａを備えた１面側を上側に向けた状態にしてトレー体２上に収納すれば良い。こうして初期購入された陳列用パーツ３をそのまま継続して使用する。
【００３８】
尚、上記した陳列用パーツ３の陳列形態の相違は、本考案を限定するものではなく、その他の陳列形態を適用しても良いことは勿論である。
【００３９】
そして顧客は、装置本体１のトレー体２上に配置した各種の陳列用パーツ３から試用見本Ｐを選択して取り出し試用してみる。また、試用後に使用した例えば拭き取りティッシュをごみ箱用パーツ５Ｂ内に挿入する。そして、それが気に入れば例えば奥の商品陳列部に収納されている箱詰め梱包された販売用の商品を取り出して勘定場等に持参し、代金を精算して商品を受領するものとする。
【図面の簡単な説明】
【００４０】
【図１】本考案を実施するための最良の形態における商品陳列装置の使用状態を示す分解斜視図である。
【図２】同じく陳列用パーツの一例を示すもので、（ａ）は試用見本を挿入した状態の陳列用パーツの斜視図、（ｂ）は試用見本を挿入した状態の陳列用パーツの縦断面図である。
【図３】同じく陳列用パーツの一例を示す斜視図である。
【図４】同じく陳列用パーツの６面における挿入孔の一例を示すもので、（ａ）は陳列用パーツの第１面の平面図、（ｂ）は陳列用パーツの第２面の平面図、（ｃ）は陳列用パーツの第３面の平面図、（ｄ）は陳列用パーツの第４面の平面図、（ｅ）は陳列用パーツの第５面の平面図、（ｆ）は陳列用パーツの第６面の平面図である。
【符号の説明】
【００４１】
Ｐ…試用見本                            Ｑ…色見本
Ｒ…係止用ブロック                      Ｓ…引出しケース
Ｋ…筒ケース
１…装置本体                            ２…トレー体
３…陳列用パーツ                        ３Ａ…挿入孔
４…スペーサー用パーツ                  ５Ａ…ティッシュ入れ用パーツ
５Ｂ…ごみ箱用パーツ                    ６…ＰＯＰモジュール
７…補強用仕切板                        ７Ａ…通し孔
【図１】
0003120198.tif 000003
【図２】
0003120198.tif 000004
【図３】
0003120198.tif 000005
【図４】
0003120198.tif 000006